(57)【要約】【課題】外部ネットワークを用いることなく、他の端末のアプリケーションの利用制限又は制限解除を容易に行える携帯通信端末、制御システム、制御方法及び制御プログラムを提供すること。【解決手段】子端末２０は、親端末１０との直接無線通信を制御する通信制御部２３と、自端末のアプリケーション情報を、親端末１０へ送信する送信処理部２４と、親端末１０がアプリケーション情報に基づき、特定されたアプリケーション毎に設定した利用を制限又は制限解除するための設定情報を受信する受信処理部２５と、設定情報に従って、アプリケーションの利用を制限又は制限解除する制限処理部２６と、設定情報に含まれる指定タイムゾーンの現在時刻情報を取得する時刻管理部２７と、を備え、制限処理部２６は、設定情報に含まれる指定時刻情報、及び現在時刻情報に基づいて、アプリケーションの利用を制限又は制限解除する。【選択図】図２
2018117377.tif 000002
【特許請求の範囲】
【請求項１】
他の端末との直接無線通信を制御する通信制御部と、
自端末にインストールされているアプリケーションに関するアプリケーション情報を、前記通信制御部によって他の端末へ送信する送信処理部と、
前記通信制御部によって前記他の端末から、当該他の端末が受信した前記アプリケーション情報に基づき、特定されたアプリケーション毎に設定した前記アプリケーションの利用を制限又は制限解除するための設定情報を受信する受信処理部と、
前記設定情報に従って、前記アプリケーションの利用を制限又は制限解除する制限処理部と、
前記設定情報に含まれる指定タイムゾーンの現在時刻情報を取得する時刻管理部と、を備え、
前記制限処理部は、前記設定情報に含まれる指定時刻情報、及び前記時刻管理部により取得される現在時刻情報に基づいて、前記アプリケーションの利用を制限又は制限解除する携帯通信端末。
【請求項２】
前記制限処理部は、前記アプリケーションの利用が制限解除されていることを条件に、前記アプリケーションの起動をユーザが指示するためのアイコンを表示させ、前記アプリケーションの利用が制限されている場合、前記アイコンを表示させない請求項１に記載の携帯通信端末。
【請求項３】
前記制限処理部は、前記アプリケーションの利用を制限する場合、当該アプリケーションの起動指示を無効にする請求項１又は請求項２に記載の携帯通信端末。
【請求項４】
前記制限処理部は、前記アプリケーションの利用を制限する際に、実行中の当該アプリケーションを終了させる請求項１から請求項３のいずれかに記載の携帯通信端末。
【請求項５】
前記制限処理部は、前記設定情報に従って、前記時刻管理部におけるタイムゾーン及びサマータイムの設定変更を禁止する請求項１から請求項４のいずれかに記載の携帯通信端末。
【請求項６】
前記時刻管理部は、前記設定情報に含まれる基準時刻情報を起点として現在時刻を計時する請求項１から請求項５のいずれかに記載の携帯通信端末。
【請求項７】
前記送信処理部は、自端末にインストールされているアプリケーションのうち、利用制限されている特定のアプリケーションに関する前記アプリケーション情報と共に、当該特定のアプリケーションの利用を制限解除するための申請データを、前記通信制御部によって前記他の端末へ送信し、
前記受信処理部は、前記通信制御部によって前記他の端末から、前記特定のアプリケーションの利用を制限解除するための前記設定情報を受信し、
前記制限処理部は、前記設定情報に従って、前記特定のアプリケーションの利用制限を解除する請求項１から請求項６のいずれかに記載の携帯通信端末。
【請求項８】
前記制限処理部は、前記設定情報に含まれる指定期間情報に基づいて、前記特定のアプリケーションの利用の制限を、一時的に解除する請求項７に記載の携帯通信端末。
【請求項９】
前記制限処理部は、前記アプリケーションがインストールされた際に、当該アプリケーションの利用を制限する初期設定を行う請求項１から請求項８のいずれかに記載の携帯通信端末。
【請求項１０】
端末間で直接無線通信が可能な複数の通信端末を有する制御システムであって、
第１の通信端末は、
前記直接無線通信によって第２の通信端末から、当該第２の通信端末にインストールされているアプリケーションに関するアプリケーション情報を受信する第１の受信処理部と、
前記アプリケーション情報を表示する表示制御部と、
前記アプリケーション情報が表示されたアプリケーションのうち選択されたアプリケーションの利用を制限又は制限解除するための設定情報を生成する制限設定部と、
前記設定情報を、前記直接無線通信によって前記第２の通信端末へ送信する第１の送信処理部と、を備え、
前記第２の通信端末は、
前記アプリケーション情報を、前記直接無線通信によって前記第１の通信端末へ送信する第２の送信処理部と、
前記直接無線通信によって前記第１の通信端末から、前記設定情報を受信する第２の受信処理部と、
前記設定情報に従って、前記アプリケーションの利用を制限又は制限解除する制限処理部と、
前記設定情報に含まれる指定タイムゾーンの現在時刻情報を取得する時刻管理部と、を備え、
前記制限処理部は、前記設定情報に含まれる指定時刻情報、及び前記時刻管理部により取得される現在時刻情報に基づいて、前記アプリケーションの利用を制限又は制限解除する制御システム。
【請求項１１】
前記制限設定部は、予め記憶された所定の条件に基づいて、前記設定情報を生成する請求項１０に記載の制御システム。
【請求項１２】
他の端末と直接無線通信が可能な携帯通信端末において、
自端末にインストールされているアプリケーションに関するアプリケーション情報を、前記直接無線通信によって他の端末へ送信する送信処理ステップと、
前記直接無線通信によって前記他の端末から、当該他の端末が受信した前記アプリケーション情報に基づき、特定されたアプリケーション毎に設定した前記アプリケーションの利用を制限又は制限解除するための設定情報を受信する受信処理ステップと、
前記設定情報に従って、前記アプリケーションの利用を制限又は制限解除する制限処理ステップと、
前記設定情報に含まれる指定タイムゾーンの現在時刻情報を取得する時刻管理ステップと、を実行し、
前記制限処理ステップでは、前記設定情報に含まれる指定時刻情報、及び前記時刻管理ステップにおいて取得される現在時刻情報に基づいて、前記アプリケーションの利用を制限又は制限解除する制御方法。
【請求項１３】
他の端末と直接無線通信が可能な携帯通信端末において、
自端末にインストールされているアプリケーションに関するアプリケーション情報を、前記直接無線通信によって他の端末へ送信する送信処理ステップと、
前記直接無線通信によって前記他の端末から、当該他の端末が受信した前記アプリケーション情報に基づき、特定されたアプリケーション毎に設定した前記アプリケーションの利用を制限又は制限解除するための設定情報を受信する受信処理ステップと、
前記設定情報に従って、前記アプリケーションの利用を制限又は制限解除する制限処理ステップと、
前記設定情報に含まれる指定タイムゾーンの現在時刻情報を取得する時刻管理ステップと、を実行させ、
前記制限処理ステップでは、前記設定情報に含まれる指定時刻情報、及び前記時刻管理ステップにおいて取得される現在時刻情報に基づいて、前記アプリケーションの利用を制限又は制限解除させるための制御プログラム。
【発明の詳細な説明】
【技術分野】
【０００１】
本発明は、アプリケーションの利用制限制御を行う携帯通信端末、制御システム、制御方法及び制御プログラムに関する。
【背景技術】
【０００２】
従来、複数の携帯通信端末間の制御システムとして、子端末にインストールされているアプリケーションの実行制限又はこの制限の解除を、親端末から制御するペアレンタルコントロールと呼ばれるシステムがある。
ペアレンタルコントロールは、例えば、親端末において設定された情報に基づいて、ネットワーク上の管理サーバから子端末へ制御情報が送信されることにより、子端末のアプリケーションの実行が制限される（例えば、特許文献１参照）。
【先行技術文献】
【特許文献】
【０００３】
【特許文献１】特開２０１１−２１７０００号公報
【発明の概要】
【発明が解決しようとする課題】
【０００４】
しかしながら、従来のペアレンタルコントロールの手法は、各携帯通信端末が外部ネットワークに接続され管理サーバと通信可能であることが前提になっており、いずれかの端末が通信圏外の場合に制御ができなかった。
【０００５】
本発明は、外部ネットワークを用いることなく、他の端末のアプリケーションの利用制限又は制限解除を容易に行える携帯通信端末、制御システム、制御方法及び制御プログラムを提供することを目的とする。
【課題を解決するための手段】
【０００６】
本発明に係る携帯通信端末は、他の端末との直接無線通信を制御する通信制御部と、自端末にインストールされているアプリケーションに関するアプリケーション情報を、前記通信制御部によって他の端末へ送信する送信処理部と、前記通信制御部によって前記他の端末から、当該他の端末が受信した前記アプリケーション情報に基づき、特定されたアプリケーション毎に設定した前記アプリケーションの利用を制限又は制限解除するための設定情報を受信する受信処理部と、前記設定情報に従って、前記アプリケーションの利用を制限又は制限解除する制限処理部と、前記設定情報に含まれる指定タイムゾーンの現在時刻情報を取得する時刻管理部と、を備え、前記制限処理部は、前記設定情報に含まれる指定時刻情報、及び前記時刻管理部により取得される現在時刻情報に基づいて、前記アプリケーションの利用を制限又は制限解除する。
【０００７】
前記制限処理部は、前記アプリケーションの利用が制限解除されていることを条件に、前記アプリケーションの起動をユーザが指示するためのアイコンを表示させ、前記アプリケーションの利用が制限されている場合、前記アイコンを表示させなくてもよい。
【０００８】
前記制限処理部は、前記アプリケーションの利用を制限する場合、当該アプリケーションの起動指示を無効にしてもよい。
【０００９】
前記制限処理部は、前記アプリケーションの利用を制限する際に、実行中の当該アプリケーションを終了させてもよい。
【００１０】
前記制限処理部は、前記設定情報に従って、前記時刻管理部におけるタイムゾーン及びサマータイムの設定変更を禁止してもよい。
【００１１】
前記時刻管理部は、前記設定情報に含まれる基準時刻情報を起点として現在時刻を計時してもよい。
【００１２】
前記送信処理部は、自端末にインストールされているアプリケーションのうち、利用制限されている特定のアプリケーションに関する前記アプリケーション情報と共に、当該特定のアプリケーションの利用を制限解除するための申請データを、前記通信制御部によって前記他の端末へ送信し、前記受信処理部は、前記通信制御部によって前記他の端末から、前記特定のアプリケーションの利用を制限解除するための前記設定情報を受信し、前記制限処理部は、前記設定情報に従って、前記特定のアプリケーションの利用制限を解除してもよい。
【００１３】
前記制限処理部は、前記設定情報に含まれる指定期間情報に基づいて、前記特定のアプリケーションの利用の制限を、一時的に解除してもよい。
【００１４】
前記制限処理部は、前記アプリケーションがインストールされた際に、当該アプリケーションの利用を制限する初期設定を行ってもよい。
【００１５】
本発明に係る制御システムは、端末間で直接無線通信が可能な複数の通信端末を有する制御システムであって、第１の通信端末は、前記直接無線通信によって前記第２の通信端末から、当該第２の通信端末にインストールされているアプリケーションに関するアプリケーション情報を受信する第１の受信処理部と、前記アプリケーション情報を表示する表示制御部と、前記アプリケーション情報が表示されたアプリケーションのうち選択されたアプリケーションの利用を制限又は制限解除するための設定情報を生成する制限設定部と、前記設定情報を、前記直接無線通信によって前記第２の通信端末へ送信する第１の送信処理部と、を備え、前記第２の通信端末は、前記アプリケーション情報を、前記直接無線通信によって前記第１の通信端末へ送信する第２の送信処理部と、前記直接無線通信によって前記第１の通信端末から、前記設定情報を受信する第２の受信処理部と、前記設定情報に従って、前記アプリケーションの利用を制限又は制限解除する制限処理部と、前記設定情報に含まれる指定タイムゾーンの現在時刻情報を取得する時刻管理部と、を備え、前記制限処理部は、前記設定情報に含まれる指定時刻情報、及び前記時刻管理部により取得される現在時刻情報に基づいて、前記アプリケーションの利用を制限又は制限解除する。
【００１６】
前記制限設定部は、予め記憶された所定の条件に基づいて、前記設定情報を生成してもよい。
【００１７】
本発明に係る制御方法は、他の端末と直接無線通信が可能な携帯通信端末において、自端末にインストールされているアプリケーションに関するアプリケーション情報を、前記直接無線通信によって他の端末へ送信する送信処理ステップと、前記直接無線通信によって前記他の端末から、当該他の端末が受信した前記アプリケーション情報に基づき、特定されたアプリケーション毎に設定した前記アプリケーションの利用を制限又は制限解除するための設定情報を受信する受信処理ステップと、前記設定情報に従って、前記アプリケーションの利用を制限又は制限解除する制限処理ステップと、前記設定情報に含まれる指定タイムゾーンの現在時刻情報を取得する時刻管理ステップと、を実行し、前記制限処理ステップでは、前記設定情報に含まれる指定時刻情報、及び前記時刻管理ステップにおいて取得される現在時刻情報に基づいて、前記アプリケーションの利用を制限又は制限解除する。
【００１８】
本発明に係る制御プログラムは、他の端末と直接無線通信が可能な携帯通信端末において、自端末にインストールされているアプリケーションに関するアプリケーション情報を、前記直接無線通信によって他の端末へ送信する送信処理ステップと、前記直接無線通信によって前記他の端末から、当該他の端末が受信した前記アプリケーション情報に基づき、特定されたアプリケーション毎に設定した前記アプリケーションの利用を制限又は制限解除するための設定情報を受信する受信処理ステップと、前記設定情報に従って、前記アプリケーションの利用を制限又は制限解除する制限処理ステップと、前記設定情報に含まれる指定タイムゾーンの現在時刻情報を取得する時刻管理ステップと、を実行させ、前記制限処理ステップでは、前記設定情報に含まれる指定時刻情報、及び前記時刻管理ステップにおいて取得される現在時刻情報に基づいて、前記アプリケーションの利用を制限又は制限解除させる。
【発明の効果】
【００１９】
本発明によれば、外部ネットワークを用いることなく、他の端末のアプリケーションの利用制限又は制限解除を容易に行える。
【図面の簡単な説明】
【００２０】
【図１】第１実施形態に係る制御システムの概要を示す図である。
【図２】第１実施形態に係る親端末及び子端末の機能構成を示す図である。
【図３】第１実施形態に係るアプリケーションの利用制限又は制限解除の設定処理を示すシーケンス図である。
【図４】第２実施形態に係るアプリケーションの利用制限解除の設定処理を示すシーケンス図である。
【発明を実施するための形態】
【００２１】
［第１実施形態］
以下、本発明の第１実施形態について説明する。
図１は、本実施形態に係る制御システム１の概要を示す図である。
【００２２】
制御システム１は、スマートフォン、携帯電話、タブレット端末又はゲーム機等の携帯通信端末としての親端末１０及び子端末２０を備える。
【００２３】
親端末１０及び子端末２０は、直接無線通信によって相互にデータの送受信を行う。具体的には、例えばＢＬＥ（Ｂｌｕｅｔｏｏｔｈ（登録商標）  Ｌｏｗ  Ｅｎｅｒｇｙ）のプロトコルに従って、スレーブ機器としての子端末２０からのブロードキャスト送信（Ａｄｖｅｒｔｉｓｉｎｇ）を、マスタ機器としての親端末１０が間欠的に検索（Ｓｃａｎｎｉｎｇ）する。そして、通信可能な電波状態（受信感度）において、親端末１０と子端末２０との双方で通信設定を行い、通信接続が確立する。
【００２４】
親端末１０は、直接無線通信によって子端末２０にインストールされているアプリケーションに関するアプリケーション情報を受信してユーザに提示する。アプリケーション情報には、アプリケーションの名称及びアイコンデータ等が含まれ、これらが親端末１０において一覧表示される。
【００２５】
親端末１０は、一覧表示されたアプリケーションのそれぞれに対して、ユーザから個々に又は一括で、利用制限又は制限解除の指定入力を受け付ける。また、親端末１０に予め入力された条件に従って、利用制限又は制限解除の内容が自動的に設定されてもよい。
親端末１０のディスプレイには、例えば、アプリケーション毎に利用の禁止又は許可を切り替えるスイッチ等のインタフェースが設けられる。
【００２６】
親端末１０は、アプリケーションを利用制限又は制限解除するための設定情報を、直接無線通信により子端末２０へ送信する。これにより、子端末２０は、インストールされているアプリケーションの利用に関する少なくとも一部の機能の制限又は制限解除の制御を行う。このとき、子端末２０は、利用不可とされたアプリケーションのアイコンを非表示にしてもよい。
【００２７】
図２は、本実施形態に係る親端末１０及び子端末２０の機能構成を示す図である。
親端末１０は、記憶部１１と、通信制御部１２と、受信処理部１３（第１の受信処理部）と、表示制御部１４と、制限設定部１５と、送信処理部１６（第１の送信処理部）とを備える。
子端末２０は、表示制御部２１と、記憶部２２と、通信制御部２３と、送信処理部２４（第２の送信処理部）と、受信処理部２５（第２の受信処理部）と、制限処理部２６と、時刻管理部２７とを備える。
【００２８】
記憶部１１は、ハードウェア群を親端末１０として機能させるための各種プログラム、及び各種データ等の記憶領域である。具体的には、記憶部１１には、本実施形態の機能を実現させるため各部に実行させるプログラムが記憶される。また、記憶部１１には、親端末１０のユーザから入力された子端末２０のアプリケーションに対する利用制限に関する設定情報が記憶される。
【００２９】
通信制御部１２は、他の端末との直接無線通信を制御する。具体的には、通信制御部１２は、ＢＬＥのプロトコルに準拠し、マスタ機器として動作する。すなわち、通信制御部１２は、周辺の機器から送信される識別子及び提供サービスを間欠的に検索し、接続すべき子端末２０を判定して接続要求を送信する。通信制御部１２は、予め登録されている子端末２０のＩＤと照合することにより、接続すべき子端末２０を判定してもよい。
【００３０】
接続要求に子端末２０が応答すると、通信制御部１２は、通信設定を行い、子端末２０との通信接続を確立する。通信制御部１２は、電波状態が通信可能なレベルである間、子端末２０との通信接続状態を維持する。
【００３１】
受信処理部１３は、通信制御部１２によって子端末２０から、この子端末２０にインストールされているアプリケーションに関するアプリケーション情報を受信する。
【００３２】
表示制御部１４は、利用者からデータの入力を受け付ける画面、又は親端末１０による処理結果の画面等を、ディスプレイに表示させる制御を行う。本実施形態においては、表示制御部１４は、子端末２０から受信したアプリケーションの名称及びアイコン等のアプリケーション情報を、例えば一覧形式で表示させることにより、親端末１０のユーザに提示する。
【００３３】
制限設定部１５は、表示されたアプリケーションのうちユーザに選択されたアプリケーションに関して、このアプリケーションの利用制限又は制限解除を行うための設定情報を生成し記憶部１１に記憶する。
【００３４】
送信処理部１６は、生成された設定情報を、通信制御部１２によって子端末２０へ送信する。
設定情報は、アプリケーションの利用可否の情報の他、利用可否を切り替える契機としての時刻情報、さらには、時刻情報の基準となるタイムゾーン及びサマータイムの有無等を含んでもよい。
【００３５】
表示制御部２１は、利用者からデータの入力を受け付ける画面、又は子端末２０による処理結果の画面等を、ディスプレイに表示させる制御を行う。表示制御部２１は、例えばホーム画面等において、子端末２０にインストールされているアプリケーションのアイコンを表示するが、親端末１０から受信した設定情報により利用制限されたアプリケーションのアイコンは消去されてもよい。
例えば、時間帯によりアプリケーションの利用が制限又は制限解除されている場合、この制限の切り替え時刻において、制限処理部２６の制御に従ってアイコンの表示又は非表示を切り替える。
【００３６】
記憶部２２は、ハードウェア群を子端末２０として機能させるための各種プログラム、及び各種データ等の記憶領域である。具体的には、記憶部２２には、本実施形態の機能を実現させるため各部に実行させるプログラムが記憶される。また、記憶部２２には、親端末１０から受信した設定情報が記憶され、制限処理部２６により参照される。
【００３７】
通信制御部２３は、他の端末との直接無線通信を制御する。具体的には、通信制御部２３は、ＢＬＥのプロトコルに準拠し、スレーブ機器として動作する。すなわち、通信制御部２３は、間欠的に自端末の識別子及び提供サービスをブロードキャスト送信し、他の端末からの接続要求を待機する。通信制御部２３は、親端末１０からの接続要求を受信すると、応答を返信して通信設定を行い、親端末１０との通信接続を確立する。
このとき、通信制御部２３は、予め登録されているＩＤと合致する親端末１０からの接続要求に対してのみ応答する。例えば、子供用端末の場合、子端末２０の短縮ダイヤルの１番又は上位に保護者（親）の電話番号が登録されていることが想定される。そこで、通信制御部２３は、短縮ダイヤルの１番又は上位に登録されている親端末１０からの接続要求のみに応答してもよい。
【００３８】
送信処理部２４は、子端末２０にインストールされているアプリケーションに関するアプリケーション情報を、通信制御部２３によって通信接続が確立している親端末１０へ送信する。
【００３９】
受信処理部２５は、通信制御部２３によって親端末１０から、アプリケーションの利用制限又は制限解除を行う設定情報を受信する。
【００４０】
制限処理部２６は、親端末１０から受信した設定情報に従って、利用制限されたアプリケーションへのユーザからのアクセスを遮断することによって、アプリケーションの利用制限又は制限解除を行う。
具体的には、制限処理部２６は、表示制御部２１を制御し、ホーム画面、アプリケーション一覧、利用履歴一覧等に本来表示される、アプリケーションの起動をユーザが指示するためのアイコンの表示又は非表示を切り替える。すなわち、制限処理部２６は、アプリケーションの利用が制限解除されていることを条件に、このアプリケーションのアイコンを表示させ、アプリケーションの利用が制限されている場合、アイコンを表示させないことでユーザによるアプリケーションの起動を制限する。
【００４１】
また、制限処理部２６は、アプリケーションの利用を制限する場合、このアプリケーションの起動指示を無効にして起動を制限してもよい。
さらに、制限処理部２６は、アプリケーションの起動指示（例えば、コマンド入力等）を受け付け可能な各種ドライバを無効にすることにより、より確実にユーザによる起動を抑制してもよい。
【００４２】
また、制限処理部２６は、アプリケーションの利用を制限する際に、実行中の当該アプリケーションを終了させて、バックグラウンドで動作可能なアプリケーションの全機能を停止してもよい。
あるいは、制限処理部２６は、アプリケーションの利用を制限する際に、実行中の当該アプリケーションの動作を継続させ、当該アプリケーションにおけるユーザインタフェース（入出力）を遮断することにより利用を制限してもよい。例えば、他の端末とメッセージを交換するアプリケーション等の場合、制限処理部２６は、バックグラウンドでメッセージの受信を可能とし、アプリケーションの利用制限が解除されるとメッセージを表示できるように制御してもよい。
【００４３】
なお、制限処理部２６は、子端末２０に対して新規にアプリケーションがインストールされた際に、このアプリケーションの利用を制限する初期設定を行うことにより、利用制限の要否に関する設定情報を受信する前に、このアプリケーションが起動されることを抑制してもよい。
【００４４】
時刻管理部２７は、子端末２０において参照される現在時刻情報を管理し、各アプリケーションからの要求に応じて、この現在時刻情報を提供する。時刻管理部２７は、例えば通信基地局から提供されるシステムタイムを、ユーザによる改変を受け付けない構成により保持し、このシステムタイムからのオフセットによって表現される複数のタイムゾーン、及びサマータイムの時刻情報を提供する。
【００４５】
ここで、制限処理部２６による時刻情報に基づく制御について詳述する。
制限処理部２６は、設定情報に含まれる指定時刻情報、及び時刻管理部２７から取得される現在時刻情報に基づいて、選択されたアプリケーションの利用制限又は制限解除を行う。
【００４６】
このとき、時刻管理部２７は、制限処理部２６による制御に従って、設定情報に含まれる指定タイムゾーンの現在時刻情報を強制的に取得する。これにより、子端末２０は、異なるタイムゾーンが参照されて親端末１０で設定された際の意図と異なる時刻に、選択されたアプリケーションの利用制限又は制限解除が行われることを抑制する。
【００４７】
また、設定情報は、タイムゾーン又はサマータイム等の時刻情報の設定変更を禁止するための情報を含んでいてもよい。この場合、制限処理部２６は、設定情報に従って、時刻管理部２７におけるタイムゾーン及びサマータイムの設定変更を禁止する。これにより、子端末２０は、親端末１０で設定された際の意図と異なる時刻情報が制御に利用されることを抑制する。
【００４８】
図３は、本実施形態に係る制御システム１におけるアプリケーションの利用制限又は制限解除の設定処理を示すシーケンス図である。
この処理では、親端末１０が契機となって能動的に子端末２０の制御を行う。
【００４９】
ステップＳ１において、子端末２０は、ＢＬＥプロトコルのスレーブ機器として、間欠的に自端末の識別子及び提供サービスを、ブロードキャスト送信する。また、親端末１０は、ＢＬＥプロトコルのマスタ機器として、間欠的に子端末２０から送信される識別子及び提供サービスを検索する。
【００５０】
ステップＳ２において、親端末１０は、受信した識別子及び提供サービスを、予め登録されている特定の子端末２０の情報と照合し、接続対象であるか否かを判定する。この判定がＹＥＳの場合に、処理はステップＳ３へ移り、通信接続の手続が進行する。
【００５１】
ステップＳ３において、親端末１０は、制御対象である特定の子端末２０の識別子及び提供サービスを発見すると、この子端末２０へ接続要求を送信する。
【００５２】
ステップＳ４において、子端末２０は、接続要求に含まれる親端末１０の識別子を、予め登録されている特定の親端末１０の情報と照合し、接続対象であるか否かを判定する。この判定がＹＥＳの場合に、処理はステップＳ５へ移り、通信接続の手続が進行する。
【００５３】
ステップＳ５において、子端末２０は、親端末１０からの接続要求に応答する。親端末１０及び子端末２０は、双方で通信設定を行い、これによりＢＬＥの通信接続が確立する。
【００５４】
ステップＳ６において、親端末１０は、子端末２０に対して、アプリケーション情報の送信を要求する。
【００５５】
ステップＳ７において、子端末２０は、自端末にインストールされているアプリケーションに関するアプリケーション情報を、親端末１０へ送信する。
【００５６】
ステップＳ８において、親端末１０は、子端末２０から受信したアプリケーション情報を表示する。このとき、親端末１０は、既に設定済みの利用制限又は制限解除の情報を合わせて表示することにより、現在の状態から変更する情報のみを受け付ける。
【００５７】
ステップＳ９において、親端末１０は、ステップＳ８で受け付けた内容により、利用制限又は制限解除の設定情報を生成して記憶する。
【００５８】
ステップＳ１０において、親端末１０は、ステップＳ９で生成された設定情報を子端末２０へ送信する。
【００５９】
ステップＳ１１において、子端末２０は、親端末１０から受信した設定情報を記憶する。子端末２０は、この設定情報に従って、アプリケーションの利用制限又は制限解除の処理を行う。
【００６０】
本実施形態によれば、制御システム１においては、特定の端末ＩＤにより識別される親端末１０及び子端末２０が直接無線通信によって接続される。そして、子端末２０のアプリケーション情報が親端末１０へ提供され、親端末１０で設定された利用制限又は制限解除の設定情報に基づいて子端末２０でのアプリケーションの利用制限が直接無線通信によって制御される。
したがって、制御システム１は、外部ネットワークを用いることなく、子端末２０のアプリケーションの利用制限又は制限解除を容易に行える。
【００６１】
子端末２０は、親端末１０からの指令により、利用が制限されているアプリケーションのアイコンが表示されないように制御するので、利用制限されたアプリケーションのユーザによる起動を抑制できると共に、ユーザは、容易に制限状態であることを把握できる。
【００６２】
子端末２０は、親端末１０からの指令により、利用が制限されているアプリケーションの起動指示を無効にするので、何らかの手段によってユーザから起動指示がされた場合にも、より確実にアプリケーションの利用を制限できる。
【００６３】
子端末２０は、アプリケーションの利用を制限する際に、既に実行中の対象アプリケーションを終了させることにより、より確実に対象アプリケーションの利用を制限できる。
あるいは、子端末２０は、アプリケーションの利用を制限する際に、対象アプリケーションの動作を継続させ、ユーザインタフェースを遮断することにより、バックグラウンドの処理の実行を許可できる。これにより、アプリケーションの利用制限が解除された際に、ユーザは、バックグラウンドでの処理結果に即座にアクセスできるため、利便性が向上する。
【００６４】
また、子端末２０は、親端末１０から指定時刻情報を受信することにより、自身が管理している現在時刻情報に基づいて、利用制限又は制限解除の制御を行える。
このとき、子端末２０は、指定されたタイムゾーンのみを参照することで、子端末２０の設定変更等による時刻のごまかしを抑制し、より正確な制御を行える。
また、子端末２０は、タイムゾーン及びサマータイム等における、システムタイムからのオフセットの設定変更を禁止することにより、ユーザによる時刻のごまかしを抑制し、より正確な制御を行える。
【００６５】
［第２実施形態］
以下、本発明の第２実施形態について説明する。
第１実施形態では、親端末１０が契機となって能動的に子端末２０の制御を行ったが、本実施形態では、子端末２０が契機となって、親端末１０は受動的に子端末２０の制御を行う。具体的には、親端末１０は、子端末２０からの申請に対する応答として、制限解除設定を行う。
なお、本実施形態に係る制御システム１が備える機能ブロックは、第１実施形態のもの（図２）と同様であるが、それぞれ以下の機能が付加される。
【００６６】
送信処理部２４は、子端末２０にインストールされているアプリケーションのうち、利用制限されている特定のアプリケーションに関するアプリケーション情報と共に、この特定のアプリケーションの利用を制限解除するための申請データを、通信制御部２３によって親端末１０へ送信する。
【００６７】
受信処理部２５は、通信制御部２３によって親端末１０から許可データ、すなわち特定のアプリケーションの利用を制限解除するための設定情報を受信する。
【００６８】
制限処理部２６は、設定情報に従って、特定のアプリケーションの利用制限を解除する。
このとき、制限処理部２６は、設定情報に含まれる指定期間情報に基づいて、特定のアプリケーションの利用の制限を、一時的に解除してもよい。あるいは、制限処理部２６は、次に利用制限されるまでの間、特定のアプリケーションの利用を継続的に制限解除してもよい。
【００６９】
図４は、本実施形態に係る制御システム１におけるアプリケーションの利用制限解除の設定処理を示すシーケンス図である。
【００７０】
ステップＳ１〜Ｓ５において、親端末１０及び子端末２０は、第１実施形態における処理（図３）と同様に、直接無線通信の接続を確立する。
【００７１】
ステップＳ７ａにおいて、子端末２０は、自端末にインストールされているアプリケーションのうち、利用制限されているアプリケーションに関するアプリケーション情報を、制限解除申請として親端末１０へ送信する。
【００７２】
ステップＳ８ａにおいて、親端末１０は、子端末２０から受信したアプリケーション情報を表示する。
【００７３】
ステップＳ９ａにおいて、親端末１０は、ステップＳ８ａの表示情報に基づいて、申請を許可（制限解除）するか否かの入力を受け付け、許可される場合に制限解除の設定情報を生成して記憶する。
【００７４】
ステップＳ１０ａにおいて、親端末１０は、ステップＳ９ａで生成された制限解除許可の設定情報を子端末２０へ送信する。
【００７５】
ステップＳ１１ａにおいて、子端末２０は、親端末１０から受信した設定情報を記憶する。子端末２０は、この設定情報に従って、アプリケーションの利用制限又は制限解除の処理を行う。
【００７６】
本実施形態によれば、子端末２０は、利用制限されているアプリケーションに関して、制限解除の申請を親端末１０に対して行うことにより、親端末１０から許可通知を受け取ることで制限解除できる。これにより、制御システム１は、子端末２０からの明示的な申請に基づいて、親端末１０が近くの通信可能な場所にある（親が近くにいる）ことを条件に、親端末１０が制限を解除することができる。
このとき、親端末１０は、指定期間情報に基づいて、子端末２０における特定のアプリケーションの利用制限を一時的に解除できる。
【００７７】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００７８】
親端末１０及び子端末２０において保持される接続対象端末のＩＤは、鍵情報により暗号化されたデータであってもよい。これにより安全性が向上する。
また、これらの接続対象端末のＩＤは、親端末１０及び子端末２０の双方のユーザによる明示的な承認操作に応じて登録されてもよい。
【００７９】
前述の実施形態では、親端末１０及び子端末２０が１対１の関係である場合を例に説明したが、これには限られない。例えば、親端末１０は、複数の子端末２０を制御対象としてもよい。また、子端末２０は、複数の親端末１０から制御され、例えば複数の親端末１０の全て、所定数又はいずれかの許可設定によりアプリケーションの利用制限を解除してもよい。
【００８０】
また、前述の実施形態では、親端末１０をマスタ機器、子端末２０をスレーブ機器として説明したが、逆に子端末２０がマスタ機器、親端末１０がスレーブ機器として動作してもよい。
【００８１】
制限処理部２６は、子端末２０に対して新規にアプリケーションがインストールされた際に、このアプリケーションの利用を制限する初期設定を行うことにより、利用制限の要否に関する設定情報を受信する前に、このアプリケーションが起動されることを抑制してもよい。
【００８２】
親端末１０が子端末２０からアプリケーション情報を取得した際、制限設定部１５は、予め記憶された所定の条件に基づいて、設定情報を生成してもよい。例えば、制限設定部１５は、新規のアプリケーションに対しては利用制限の設定をし、制限解除申請に対しては、時間を限定した一時的な制限解除設定を行ってもよい。
このように設定情報が自動的に生成され子端末２０へ提供されることにより、親端末１０のユーザの手間が削減され、利便性が向上する。
【００８３】
子端末２０は、ユーザにより変更されない時刻情報（システムタイム）を保持していることを前提とした構成としたが、これには限られない。
例えば、時刻管理部２７は、親端末１０から、基準時刻情報を設定情報として受信し、この基準時刻情報を起点として現在時刻を計時してもよい。これにより、子端末２０は、ユーザが子端末２０の保持している時刻を改竄できたとしても、正しい時刻情報に基づいて制御を行える。
【００８４】
制御システム１による制御方法は、ソフトウェアにより実現される。ソフトウェアによって実現される場合には、このソフトウェアを構成するプログラムが、情報処理装置（親端末１０及び子端末２０）にインストールされる。また、これらのプログラムは、ＣＤ−ＲＯＭのようなリムーバブルメディアに記録されてユーザに配布されてもよいし、ネットワークを介してコンピュータにダウンロードされることにより配布されてもよい。さらに、これらのプログラムは、ダウンロードされることなくネットワークを介したＷｅｂサービスとしてコンピュータに提供されてもよい。
【符号の説明】
【００８５】
１  制御システム
１０  親端末（携帯通信端末）
１１  記憶部
１２  通信制御部
１３  受信処理部（第１の受信処理部）
１４  表示制御部
１５  制限設定部
１６  送信処理部（第１の送信処理部）
２０  子端末（携帯通信端末）
２１  表示制御部
２２  記憶部
２３  通信制御部
２４  送信処理部（第２の送信処理部）
２５  受信処理部（第２の受信処理部）
２６  制限処理部
２７  時刻管理部
【図１】
2018117377.tif 000003
【図２】
2018117377.tif 000004
【図３】
2018117377.tif 000005
【図４】
2018117377.tif 000006